(57)【要約】      （修正有）【課題】二種類の規格に合わせてラックに機器ユニットを取り付けることができる汎用ラックへの機器ユニット取り付け構造における取り付け部材を提供する。【解決手段】平板で構成し、この平板の長手方向両端部をそれぞれ逆方向になるように直角に折り曲げ、折り曲げた両端の面２１，２２にそれぞれ異なる間隔でラック取り付け用ネジ穴２６，２７をそれぞれ二つずつ形成するとともに、中央部２３には機器ユニット取り付け用ネジ穴２８を形成してあることを特徴とする汎用ラックへの機器ユニット取り付け構造における取り付け部材。【選択図】図１
2008270480.tif 000002
【特許請求の範囲】
【請求項１】
筐体の正面に開口面を設けてなるラックを構成し、このラックの開口面の両側縁にラックフレームを設け、このラックフレームに複数のネジ穴を形成してあり、このラックフレームに、取り付け部材を装着した複数の機器ユニットを取り付ける取り付け構造において、
前記取り付け部材を平板で構成し、この平板の長手方向両端部をそれぞれ逆方向になるように直角に折り曲げ、折り曲げた両端部にそれぞれ異なる間隔で、ラック取り付け用ネジ穴をそれぞれ二つずつ形成するとともに、中央部には前記機器ユニット取り付け用ネジ穴を形成し、
前記ラックフレームの二つのネジ穴の間隔に応じて、前記取り付け部材の正面部を決定し、左右用の二つ有する前記取り付け部材の中央部を機器ユニットの各側面にそれぞれ当接させて、前記取り付け部材と前記機器ユニットとをネジで締結させ、前記取り付け部材の正面部裏面を前記ラックフレーム表面に当接させて、前記取り付け部材と前記ラックフレームとをネジで締結させて、前記ラックに前記機器ユニットを取り付けてあることを特徴とする汎用ラックへの機器ユニット取り付け構造。
【請求項２】
筐体の正面に開口面を設けてなるラックを構成し、このラックの開口面の両側縁にラックフレームを設け、このラックフレームに複数のネジ穴を形成してあり、このラックフレームに、取り付け部材を装着した複数の機器ユニットを取り付ける取り付け部材において、
平板で構成し、この平板の長手方向両端部をそれぞれ逆方向になるように直角に折り曲げ、折り曲げた両端部にそれぞれ異なる間隔でラック取り付け用ネジ穴をそれぞれ二つずつ形成するとともに、中央部には前記機器ユニット取り付け用ネジ穴を形成してあることを特徴とする請求項１記載の汎用ラックへの機器ユニット取り付け構造における取り付け部材。
【請求項３】
前記両端部にそれぞれ二つずつ形成した前記ラック取り付け用ネジ穴の間隔の中心が、この平板の長手方向の中心線上に位置するように形成してあることを特徴とする請求項２記載の汎用ラックへの機器ユニット取り付け構造における取り付け部材。
【請求項４】
前記取り付け部材の短手方法の幅を前記機器ユニットの高さとほぼ同じ長さにしてあることを特徴とする請求項３記載の汎用ラックへの機器ユニット取り付け構造における取り付け部材。
【発明の詳細な説明】
【技術分野】
【０００１】
本発明は、筐体の正面に開口面を設けてなるラックを構成し、このラックの開口面の両側縁にラックフレームを設け、このラックフレームに複数のネジ穴を形成してあり、このラックフレームに、取り付け部材を装着した複数の機器ユニットを取り付ける取り付け構造及びその構造における取り付け部材に関するものである。
【背景技術】
【０００２】
従来の汎用ラックへの電子機器ユニット取り付け構造は、図７に示すように、取り付け部材１２０を鉤形の平板で構成してある（特許文献１乃至３参照）。直角に折り曲げた一方を機器ユニット取り付け部１２３とし、この機器ユニット取り付け部１２３に機器ユニット取り付け用ネジ穴１２８を形成し、他方をラック取り付け部１２１とし、このラック取り付け部１２１にラック取り付け用ネジ穴１２６を形成してある。また、汎用ラックは筐体の正面に開口面を設けてなり、このラックの開口面の両側縁にラックフレームを設け、このラックフレームに複数のネジ穴を形成してある。
【０００３】
機器ユニット取り付け部１２３の表面に機器ユニットを当接させ、機器ユニットに形成したネジ穴と前記機器ユニット取り付け用ネジ穴１２８とを挿通させて、ネジで締結させて、機器ユニットに取り付け部材１２０を固定する。機器ユニットに取り付けられたラック取り付け部１２１の裏面をラックのラックフレームに当接させ、ラックフレームに形成したネジ穴と前記ラック取り付け用ネジ穴１２６とを挿通させて、ネジで締結させて、ラックに取り付け部材１２０を固定させることにより、ラック１０に機器ユニット３０を取り付けていた。
【特許文献１】特開平１１−１２１９５０号公報
【特許文献２】特開平１１−３５４９５０号公報
【特許文献３】特開平２００２−１７７０６８公報
【発明の開示】
【発明が解決しようとする課題】
【０００４】
しかし、例えば情報機器ユニットを取り付けるためのラックに設けたネジ穴の間隔は、日本においてはＪＩＳで、世界的にはＥＩＡで規格化されており、それぞれ間隔が異なる。そのため、情報機器ユニットをラックに取り付けるための取り付け部材をＪＩＳ規格用のものとＥＩＡ規格用のものとをそれぞれ別々に用意する必要があった。ラックと異なる規格の取り付け部材は不要となるため、廃棄物となり、環境に悪影響を与えることにもなる。
【０００５】
本発明は、上記問題に鑑みてなされたものであり、二種類の規格に合わせてラックに機器ユニットを取り付けることができる汎用ラックへの機器ユニット取り付け構造並びにその構造における取り付け部材を提供する。
【課題を解決するための手段】
【０００６】
上記課題を解決するために、本発明に係る汎用ラックへの機器ユニット取り付け構造は、筐体の正面に開口面を設けてなるラックを構成し、このラックの開口面の両側縁にラックフレームを設け、このラックフレームに複数のネジ穴を形成してあり、このラックフレームに、取り付け部材を装着した複数の機器ユニットを取り付ける取り付け構造において、前記取り付け部材を平板で構成し、この平板の長手方向両端部をそれぞれ逆方向になるように直角に折り曲げ、折り曲げた両端部にそれぞれ異なる間隔で、ラック取り付け用ネジ穴をそれぞれ二つずつ形成するとともに、中央部には前記機器ユニット取り付け用ネジ穴を形成し、前記ラックフレームの二つのネジ穴の間隔に応じて、前記取り付け部材の正面部を決定し、左右用の二つ有する前記取り付け部材の中央部を機器ユニットの各側面にそれぞれ当接させて、前記取り付け部材と前記機器ユニットとをネジで締結させ、前記取り付け部材の正面部裏面を前記ラックフレーム表面に当接させて、前記取り付け部材と前記ラックフレームとをネジで締結させて、前記ラックに前記機器ユニットを取り付けてあることを特徴とする。
【０００７】
本発明に係る前記取り付け構造における取り付け部材は、平板で構成し、この平板の長手方向両端部をそれぞれ逆方向になるように直角に折り曲げ、折り曲げた両端部にそれぞれ異なる間隔でラック取り付け用ネジ穴をそれぞれ二つずつ形成するとともに、中央部には前記機器ユニット取り付け用ネジ穴を形成してあることを特徴とする。
また、前記両端部にそれぞれ二つずつ形成した前記ラック取り付け用ネジ穴の間隔の中心が、この平板の長手方向の中心線上に位置するように形成してあることを特徴とする。
さらに、前記取り付け部材の短手方法の幅を前記機器ユニットの高さとほぼ同じ長さにしてあることを特徴とする。
【発明の効果】
【０００８】
本発明によれば、平板で構成し、この平板の長手方向両端部をそれぞれ逆方向になるように直角に折り曲げ、折り曲げた両端の面にそれぞれ異なる間隔で、且つ、この間隔の中心がこの平板の長手方向の中心線上に位置するようにラック取り付け用ネジ穴をそれぞれ二つずつ形成するとともに、中央の面には前記機器ユニット取り付け用ネジ穴を形成した取り付け部材を設けたことにより、例えば、ラックの規格がＪＩＳ規格又はＥＩＡ規格であっても、いずれの規格においても一つの取り付け部材で済み、廃棄物を生み出さず、環境に優しいという効果がある。
【発明を実施するための最良の形態】
【０００９】
本発明に係る汎用ラックへの機器ユニット取り付け構造における取り付け部材における、発明を実施するための最良の形態に係る構成説明図を図１乃至図    に示す。なお、図１は本実施例に係る取り付け部材の斜視図、図２は正面図、図３は側面図である。また、本実施例では、ＪＩＳ規格又はＥＩＡ規格の情報機器に対応する汎用ラックへの機器ユニット取り付け構造を用いて説明する。但し、本発明はこれに限定されるものではなく、全ての汎用ラックと機器ユニットとの取り付け構造に対応可能である。
【００１０】
先ず、取り付け部材について説明する。取り付け部材２０は、平板で構成し、この平板の長手方向両端部をそれぞれ逆方向になるように直角に折り曲げてある。折り曲げた両端部２１，２２にそれぞれ異なる間隔でラック取り付け用ネジ穴２６，２７をそれぞれ二つずつ形成してある。なお、図２図示の破線は端部２１と中央部２２との折り曲げ線である。
【００１１】
本実施例においては、図２に示すように、正面部２１にはＥＩＡで規格された間隔ａでラック取り付け用ネジ穴２６を形成し、背面部２２には正面に形成したラック取り付け用ネジ穴２６の間隔ａより短いＪＩＳで規格された間隔ｂでラック取り付け用ネジ穴２７を形成してある。また、本実施例においては、ＥＩＡ、ＪＩＳのいずれの規格においても、取り付け部材２０と機器ユニットとの重心がほぼ一致するように、ラック取り付け用ネジ穴２６，２７の間隔の中心がこの平板の長手方向の中心線上に位置するように形成してある。さらに、取り付け部材２０の短手方法の幅を後述する機器ユニットの高さとほぼ同じ長さにしてある。
【００１２】
取り付け部材２０の中央部２３には正面側並びに背面側にそれぞれ二つずつ機器ユニット取り付け用ネジ穴２８，２９を形成してある。これらのうち取り付け部材２０の正面部２１から１番目と３番目に有する機器ユニット取り付け用ネジ穴２８はＥＩＡ規格のラックに取り付ける際のネジ穴であり、同正面部２１から２番目と４番目に有する機器ユニット取り付け用ネジ穴２９はＪＩＳ規格のラックに取り付ける際のネジ穴である。なお、本実施例では、機器ユニット取り付け用ネジ穴２８，２９を長手方向中央線上に中心が来るように形成してあるが、例えば、襷上に機器ユニット取り付け用ネジ穴２８，２９を設けてあってもよい。本実施例においては、機器ユニット取り付け用ネジ穴２８，２９の形状並びに配置については限定しない。
【００１３】
本実施例において、ラック取り付け用ネジ穴２６，２７を楕円形に、機器ユニット取り付け用ネジ穴２８をを円形にしてあるが、これらネジ穴２６，２７，２８の形状については本発明では問わない。また、これら機器ユニット取り付け用ネジ穴２８の中心が取り付け部材２０の長手方向の中心線上に位置するように形成してある。
【００１４】
続いて、汎用ラックへの機器ユニット取り付け構造について説明する。なお、図４及び図５において、汎用ラックへの機器ユニット取り付け構造に関する要部の斜視図を、図６においては、機器ユニットをラックに取り付けた状態の要部の正面図をそれぞれ示してあり、これらの図に基づいて説明する。本実施例では、前述した取り付け部材２０の他にラック１０と機器ユニット３０とを有する。ラック１０は筐体の正面に開口面を設けてなる。このラック１０の開口面の両側縁にラックフレーム１１を設けてある。このラックフレーム１１に複数のネジ穴１２を形成してある。なお、ラックはＥＩＡ規格である。機器ユニット３０の高さをｃとすると、ネジ穴１２の中心間の間隔は、ａとｃ−ａ＋α（α：機器ユニット３０間の隙間）とが交互になるように形成してある。
【００１５】
ラック１０に取り付ける機器ユニット３０は直方体であり、各機器ユニット３０の側面３２には、取り付け部材２０を取り付けるためのネジ穴３３を形成してある。これらネジ穴３３は各側面に２つずつ形成してあり、取り付け部材２０の中央部２３を機器ユニット３０の側面３２に当接させて、取り付け部材２０と機器ユニット３０とをネジで締結させる際に、取り付け部材２０の正面部２１が機器ユニット３０の正面３１の両側に位置するように、これらネジ穴３３を形成してある。
【００１６】
以上のように構成してある汎用ラックへの機器ユニット取り付け構造に係る各部材を用いて、以下のように機器ユニット３０をラック１０に取り付ける。先ず、前述した取り付け部材２０を二つ用意し、これらをそれぞれ左右一対に設ける。なお、本実施例は上記の通りＥＩＡ規格のラックを用いており、図１乃至図３図示の取り付け部材２０においては、正面部２１に位置する部分が取り付け構造において正面とする。
【００１７】
続いて、図４に示すように、取り付け部材２０を機器ユニット３０に取り付ける。先ず、左右一対に設けた取り付け部材２０の中央部２３を機器ユニット３０の各側面に当接させる。この際、取り付け部材２０の中央部２３に形成した機器ユニット取り付け用ネジ穴２８と機器ユニット３０に形成したネジ穴３３とが挿通するように当接させる。取り付け部材２０の機器ユニット取り付け用ネジ穴２８と機器ユニット３０のネジ穴３３とが挿通した状態で、取り付け部材２０と機器ユニット３０とをネジ３６で締結させて、取り付け部材２０と機器ユニット３０とを固定する。
【００１８】
続いて、図５に示すように、取り付け部材２０を取り付けた機器ユニット３０を、ラック１０に取り付ける。先ず、ラック１０の開口面から、機器ユニット３０を挿入する。この際、機器ユニット３０の裏面から挿入することにより、取り付け部材２０の正面部２１の裏面がラックフレーム１１の表面に当接する。続いて、ラックフレーム１１に形成したネジ穴１２と取り付け部材２０の正面部２１に形成したラック取り付け用ネジ穴２６とを挿通させる。ラックフレーム１１のネジ穴１２と取り付け部材２０のラック取り付け用ネジ穴２６とが挿通した状態で、取り付け部材２０とラックフレーム１１とをネジ１５で締結させて、取り付け部材２０とラック１０とを固定する。これにより、ラック１０に機器ユニット３０を取り付けることができる。
【００１９】
一方、ラックがＪＩＳ規格の場合は、取り付け構造における取り付け部材２０の正面は、図１乃至図３に図示した取り付け部材２０における背面部２２に位置する部分の表面となる。なお、ラック１０に機器ユニット３０を取り付ける手段については前述した場合と同様であるため、説明を省略する。
【００２０】
以上より、本実施例において、以上の構成並びに作用により、ラックの規格がＪＩＳ規格又はＥＩＡ規格であっても、いずれの規格においても一つの取り付け部材で済み、廃棄物を生み出さずに済む。
【産業上の利用可能性】
【００２１】
本発明によれば、平板で構成し、この平板の長手方向両端部をそれぞれ逆方向になるように直角に折り曲げ、折り曲げた両端の面にそれぞれ異なる間隔で、且つ、この間隔の中心がこの平板の長手方向の中心線上に位置するようにラック取り付け用ネジ穴をそれぞれ二つずつ形成するとともに、中央の面には前記機器ユニット取り付け用ネジ穴を形成した取り付け部材を設けたことにより、例えば、ラックの規格がＪＩＳ規格又はＥＩＡ規格であっても、いずれの規格においても一つの取り付け部材で済み、廃棄物を生み出さず、環境に優しく、産業上利用可能である。
【図面の簡単な説明】
【００２２】
【図１】本発明に係る最良の実施形態における取り付け部材の斜視図である。
【図２】図１図示取り付け部材の正面図である。
【図３】図１図示取り付け部材の側面図である。
【図４】本発明に係る最良の実施形態における機器ユニットに取り付け部材を取り付ける状態の斜視図である。
【図５】本発明に係る最良の実施形態における機器ユニットをラックに取り付ける状態の斜視図である。
【図６】本発明に係る最良の実施形態における機器ユニットをラックに取り付けた状態の正面図である。
【図７】従来における取り付け部材の斜視図である。
【符号の説明】
【００２３】
１０  ラック
１１  ラックフレーム
１２  ネジ穴
１５  ネジ
２０  取り付け部材
２１  取り付け部材２０の正面部
２２  取り付け部材２０の中央部
２３  取り付け部材２０の背面部
２６，２７  ラック取り付け用ネジ穴
２８，２９  機器ユニット取り付け用ネジ穴
３０  機器ユニット
３１  機器ユニット３０の正面
３２  機器ユニット３０の側面
３３  ネジ穴
３６  ネジ
【図１】
2008270480.tif 000003
【図２】
2008270480.tif 000004
【図３】
2008270480.tif 000005
【図４】
2008270480.tif 000006
【図５】
2008270480.tif 000007
【図６】
2008270480.tif 000008
【図７】
2008270480.tif 000009